(57)【要約】【課題】上ケースと下ケースとをビス止めして接合する際、その上ケースと下ケースの接合精度の向上が図れるようにしたケースの提供を課題とする。【解決手段】上ケース１６と下ケース１８の所定位置に配設され、上ケース１６と下ケース１８とを接合させるためのビスボス３６を備えたケース１２において、ビスボス３６を凸部３６Ａと凹部３６Ｂが嵌合するいんろう構造にするとともに、凸部３６Ａの内周面及び外周面と凹部３６Ｂの内周面を傾斜面とする。【選択図】      図５
2004206744.tif 000002
【特許請求の範囲】
【請求項１】
上ケースと下ケースの所定位置に配設され、該上ケースと下ケースとを接合させるためのビスボスを備えたケースにおいて、
前記ビスボスを凸部と凹部が嵌合するいんろう構造にするとともに、
前記凸部の外周面と前記凹部の内周面を傾斜面としたことを特徴とするケース。
【請求項２】
前記凸部の内周面を傾斜面としたことを特徴とする請求項１に記載のケース。
【発明の詳細な説明】
【０００１】
【発明の属する技術分野】
本発明は、上ケースと下ケースとをビス止めによって接合してなるケースに関し、例えばコンピューター等の記録再生媒体として使用される磁気テープ等の記録テープが巻装された単一のリールを内部に収容してなる記録テープカートリッジなどのケースに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。したがって、磁気テープカートリッジのリール及びドライブ装置の巻取リールを同期して回転させることにより、磁気テープにデータを記録したり、磁気テープに記録されたデータの再生ができる。
【０００４】
このような構成の磁気テープカートリッジにおいて、磁気テープを巻装した単一のリールが収容される合成樹脂製ケースは、主に略矩形トレイ状の上ケースと下ケースとが熱溶着やビス止め等によって接合されてなる。特にビス止めによって上ケースと下ケースとが接合される場合には、上ケースと下ケースの隅角部付近等に、それぞれ互いに対向して当接するビスボスが立設され、下ケースの下面（底面）側からそのビスボスにビスが螺合されて、上ケースと下ケースとが接合される構成になっている（例えば、特許文献１参照）。
【０００５】
【特許文献１】
特開平１１−３３９４３６号公報
【０００６】
【発明が解決しようとする課題】
しかしながら、このようなビス止めの場合、上ケース及び下ケースの成形上の誤差により、上ケースのビスボスと下ケースのビスボスとの当接位置（穴の位置）が微少にずれることがあり、その状態のままビスを螺合させると、そのビスボス同士のずれによって、組み立てられたケースに歪み等が発生してしまうおそれがあった。このため、例えば、スライド移動して開口を開閉するドアを備えた磁気テープカートリッジなどのケースの場合には、そのドアの摺動性が損なわれるという不具合が起きるおそれがあった。
【０００７】
そこで、本発明は、上ケースと下ケースとをビス止めして接合する際、そのビスボス同士の接合精度の向上が図れるようにしたケースを得ることを目的とする。
【０００８】
【課題を解決するための手段】
上記の目的を達成するために、本発明に係る請求項１に記載のケースは、上ケースと下ケースの所定位置に配設され、該上ケースと下ケースとを接合させるためのビスボスを備えたケースにおいて、前記ビスボスを凸部と凹部が嵌合するいんろう構造にするとともに、前記凸部の外周面と前記凹部の内周面を傾斜面としたことを特徴としている。
【０００９】
請求項１の発明では、上ケースのビスボスと下ケースのビスボスは、凹凸嵌合となるいんろう構造になっているので、上ケースと下ケースに成形上の誤差があってもビスボス同士の組み付けは良好に行われる。しかも、その凸部の外周面と凹部の内周面は傾斜面とされているので、それが互いの誘い込み用のガイド面となり、両者の組み付けが容易にできる。したがって、接合精度を向上させることができる。
【００１０】
更に、請求項２に記載のケースは、請求項１に記載のケースにおいて、前記凸部の内周面を傾斜面としたことを特徴としている。
【００１１】
請求項２の発明では、凸部の内周面も傾斜面とされているので、ビスボス内へのビスの挿入（螺合）がスムーズにできる。
【００１２】
【発明の実施の形態】
以下、本発明の実施の形態に係るケースを、図面に示す記録テープカートリッジ１０における実施例に基づいて説明する。まず、最初に、記録テープカートリッジ１０の全体構成を説明し、次いで本発明に係る要部について詳細に説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１３】
図１乃至図４で示すように、記録テープカートリッジ１０は、平面視で略矩形状の合成樹脂製ケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部が平面視でそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１４】
また、上ケース１６及び下ケース１８の周壁１６Ａ、１８Ａの切り取られた角部が磁気テープＴを引き出すための開口２０とされ、この開口２０から引き出される磁気テープＴの自由端には、ドライブ装置の引出手段（図示省略）によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００１５】
また、ケース１２の開口２０の内側、即ち上ケース１６の天板内面及び下ケース１８の底板内面には、ケース１２内においてリーダーピン２２を位置決め、保持する上下一対のピン保持部２４が設けられている。このピン保持部２４は、磁気テープＴの引き出し側が開放された略半円筒形状をしており、直立状態のリーダーピン２２の両端部は、その開放側からピン保持部２４の凹部２４Ａ内に出入可能とされて保持される。
【００１６】
ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３に、その基部が挿入されて固定配置されるようになっており、この板ばね２５の二股状の先端部がリーダーピン２２の上下両端部にそれぞれ係合してリーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００１７】
また、下ケース１８の中央部には、リール１４のリールギア（図示省略）を外部に露出するためのギア開口２６が設けられており、リール１４はリールギアがドライブ装置の駆動ギア（図示省略）に噛合されて、ケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００１８】
この遊動規制壁２８の開口２０近傍の端部には、内部に位置規制用穴が形成された袋部２８Ａが連設されている。また、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００１９】
また、下ケース１８において、袋部２９近傍の遊動規制壁２８と前壁１２Ａとの間の所定位置には、上下一対のビスボス３３が設けられており、左壁１２Ｃ及び右壁１２Ｂの近傍で、かつ後部内壁１８Ｂの左右両側方の所定位置（両角部近傍）にも、上下一対のビスボス３５、３７が設けられている。この上下一対のビスボス３３、３５、３７は、下ケース１８側が貫通し、上ケース１６側が非貫通となっており、ビス（図示省略）は下ケース１８の下面（底面）側から螺合されるようになっている。
【００２０】
また、下ケース１８の右後部には、各記録テープカートリッジ１０毎に、その各種情報を記憶されたメモリーボードＭが設置されるようになっており、ケース１２の下面（底面）側から読み取るドライブ装置と、後壁（背面）側から読み取るライブラリー装置（複数の記録テープカートリッジ１０を収容し、ドライブ装置に対して自動的に装填・取出をする装置）での検知が可能となるように、下ケース１８の両端部を除く後部内壁１８Ｂが所定角度の傾斜面に形成され、メモリーボードＭがその後部内壁１８Ｂと支持突起１９とにより支持されて、所定角度に傾斜配置されるようになっている。
【００２１】
また、下ケース１８の左後部には、その記録テープカートリッジ１０への記録可・不可が設定されるライトプロテクト（図示省略）が、左右（幅）方向に摺動可能に設けられるようになっており、後部内壁１８Ｂには、ライトプロテクトを人手で操作するための操作突起が突出する略矩形状の開孔１５が穿設されている。そして、下ケース１８の下面（底面）には、ドライブ装置が記録可・不可を識別するための識別用突起が露出する略楕円形状の開孔１７が穿設されている。
【００２２】
また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２３】
一方、ケース１２の右壁１２Ｂ（周壁１６Ａ、１８Ａのうち、外面が矢印Ｂ方向を向く部分）の前端部内側には、平面視でドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２４】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を略矩形状に切り欠いて形成され、開口２０側へも開放されている。このように、スリット４０が周壁１６Ａの一部を上側に残して形成されると、ケース１２の剛性を維持することができるので好ましい。特にスリット４０を規定する上側の壁が傾斜壁部３４から一体に連設されていると、更に好ましい。
【００２５】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁１２Ｃ側にも形成され、例えばドライブ装置の引き込み手段（図示省略）が係合する係合部とされたり、その天面（下向きの面）がドライブ装置内での位置決め用の基準面とされたりするようになっている。
【００２６】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上されるようになっている。
【００２７】
また、上ケース１６の左壁１２Ｃの上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００２８】
また、上ケース１６及び下ケース１８において、開口２０近傍から遊動規制壁２８が最も右壁１２Ｂに接近する部位近傍まで（以下、前半という）と、スリット４０の後端近傍から後壁の近傍まで（以下、後半という）、後述するドア５０の凸部５１を内面側及び外面側の両側方から挟み込むように支持する所定高さ（例えば、１．０ｍｍ〜１．５ｍｍ程度）のガイド壁部４２が立設されている。
【００２９】
このガイド壁部４２は、平面視略円弧状に形成されるとともに、上ケース１６と下ケース１８とではその長さが異なっており、上ケース１６側の方が下ケース１８側よりも後半側が長く形成されている。これは、下ケース１８の後壁１８Ｂ内面の右壁１２Ｂ側に、メモリーボードＭを所定角度で傾斜配置しているからである。
【００３０】
また、ガイド壁部４２の後端部は平面視略円弧状に閉塞されており、ドア５０がそれ以上後方へ移動できないように、上下それぞれ最も後側の凸部５１を規制するようになっている。そして、ガイド壁部４２の前端部は開放されており、リーダーピン２２の出入時に、そのリーダーピン２２の出入を妨げないような位置（この図示のものはピン保持部２４よりも後方側で、開口２０の開口幅の約半分程度）まで延設されている。
【００３１】
また、傾斜壁部３０の近傍にも、ガイド壁部４２の延長線上に位置するように、後端部が開放されたガイド壁部４１が立設されている。このガイド壁部４１は、その後端部がリーダーピン２２の出入を妨げないように、ピン保持部２４の前端よりも後方側には延設されないようになっており、その間隔（溝幅）は、ガイド壁部４２の間隔（溝幅）よりも若干幅狭になっている。
【００３２】
つまり、ガイド壁部４２の間隔（溝幅）は、ドア５０の成形上のばらつき（曲率のばらつき）を許容するために、若干幅広に形成されており、ドア５０の凸部５１はある程度のガタつきを持った状態でガイド壁部４２内を摺動する。したがって、少なくともガイド壁部４１の間隔（溝幅）をドア５０の凸部５１の幅と略同じ大きさにして、開口２０の閉塞時、その最前の凸部５１がガイド壁部４１内に嵌入されることにより、ドア５０がガタつかずに保持されるようにしている。
【００３３】
また、ガイド壁部４１及び前半のガイド壁部４２は、後半のガイド壁部４２よりも若干低くなるように形成されている。すなわち、例えばガイド壁部４１及び前半のガイド壁部４２の高さは約１ｍｍに形成され、後半のガイド壁部４２の高さは約１．５ｍｍに形成されている。これは、開口２０に、リーダーピン２２をチャックして引き出すドライブ装置側の引出手段が入り込めるスペースを確保するためである。したがって、後述するように、ガイド壁部４１及び前半のガイド壁部４２が低くなっている分、その前半部分（少なくとも開口２０を閉塞する部分）のドア５０の板幅（高さ）が、大きく（高く）なるように形成されている。
【００３４】
更に、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００３５】
以上、説明した上ケース１６と下ケース１８とは、開口２０の縁部の近傍に位置する各ビスボス３２、３６と、上記した各ビスボス３３、３５、３７に下ケース１８の下面（底面）側からビスがねじ込まれて（螺合されて）固定（接合）される構成である。これによって、特に傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈して位置ずれしたりしない構成である。なお、このようなビス止めにすると、分解性やリサイクル性の上で好ましい。
【００３６】
また、その開口２０は、遮蔽部材としてのドア５０によって開閉されるようになっている。ドア５０は、ガイド壁部４１と前半のガイド壁部４２を摺動する部分（少なくとも開口２０を閉塞する部分）の板幅（高さ）が開口２０の開口高さと略同一に形成され、それより後側が若干小さく（低く）形成されるとともに、その板長が開口２０の開口幅よりも充分大きく形成されている。そして、所定の円周に沿って移動できるように、板厚方向に湾曲した平面視略円弧状に形成されている（図２参照）。
【００３７】
このドア５０は、その先端部が傾斜壁部３０の内側に入り込んだ状態で開口２０を閉塞し、上記した所定の円周に沿って略後方へスライド移動（回動）して開口２０を開放し、その先端近傍の外周面がビスボス３６近傍に達すると、開口２０を完全に開放する構成になっており、開口２０を開放する際と反対方向にスライド移動（回動）することにより、開口２０を閉塞するようになっている。
【００３８】
このように、ドア５０は、その移動軌跡である所定の円周に対応した円弧状に湾曲形成されており、その回動中心は、本実施の形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリー装置からの要求により決まる開口２０の開放面の角度等に応じて適宜決められればよい。
【００３９】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、下ケース１８の後壁１８Ｂ内側に所定角度で傾斜配置されたメモリーボードＭを回避するために、斜めに切り欠かれている。なお、ドア５０の先端部（前端部）内面及び／又は外面は、ガイド壁部４１にスムーズに入り込めるようにテーパー面に形成されることが好ましい。
【００４０】
また、そのドア５０の上面及び下面には、ガイド壁部４１及びガイド壁部４２のガイド面（互いに対向している内面）と、ガイド壁部４１及びガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４１及びガイド壁部４２の高さと略同等の高さ（例えば、ドア５０の板幅が異なる境界部分より前側は約０．５ｍｍ、後側は約１．５ｍｍ）になるように突設されている。なお、最後側の凸部５１が上下対称でないのは、ドア５０の後下部が斜めに切り欠かれていることによる。
【００４１】
このような凸部５１を設けると、ドア５０と、ガイド壁部４１及びガイド壁部４２間の上ケース１６内面及び下ケース１８内面並びにガイド壁部４１及びガイド壁部４２のガイド面との摺動抵抗（摩擦）を低減することができ、ドア５０を抵抗少なく、スムーズに摺動させることが可能となる。また、この凸部５１は、平面視略楕円形状に形成されているため、例えば平面視略円形状に形成されているものよりも耐衝撃性に優れ、落下等の衝撃によってドア５０に開閉方向以外からの力が加えられても折れるような心配がない。
【００４２】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド壁部４２の後端部に最後端側の凸部５１が当接している。
【００４３】
また、ドア５０の前端部内面には、開口２０閉塞時において、リーダーピン２２の上端部側面及び下端部側面に当接するストッパー５８が突設されており、落下衝撃等によってリーダーピン２２が、ピン保持部２４から脱落するのを、より一層防止できるようになっている。そして、ドア５０を開口２０閉塞方向へ付勢する付勢部材としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設されている。
【００４４】
すなわち、ドア５０の後端近傍の内周面には、背面視略Ｌ字状のばね保持部５４が上方に向かって一体的に突設され、下ケース１８の凹部４８近傍の内面には、円柱状のばね係止部５５が上方に向かって突設されている。そして、コイルばね５６の両端にはリング状の取付部５６Ａ、５６Ｂがそれぞれ形成されている。したがって、コイルばね５６は、その一方の取付部５６Ｂをばね係止部５５に上方から挿入し、他方の取付部５６Ａをばね保持部５４に上方から挿入することにより、上記した空間内に簡単に取り付けることができる。
【００４５】
以上のような構成の記録テープカートリッジ１０において、上記したように、ケース１２はビス止めによって接合される。図３乃至図６で示すように、上ケース１６の各ビスボス３２、３３、３５、３６、３７の先端部（下端部）には、円筒状凸部３２Ａ、３３Ａ、３５Ａ、３６Ａ、３７Ａが形成され、下ケース１８の各ビスボス３２、３３、３５、３６、３７の先端部（上端部）には、環状凹部３２Ｂ、３３Ｂ、３５Ｂ、３６Ｂ、３７Ｂが形成されており、各ビスボス３２、３３、３５、３６、３７は、先端が互いに当接して嵌合する（凹凸嵌合する）いんろう構造となっている。
【００４６】
そして更に、円筒状凸部３２Ａ、３３Ａ、３５Ａ、３６Ａ、３７Ａの先端内周面及び先端外周面は、図６で示す断面視で、略「Ｖ」字状となる傾斜面（以下、テーパー面という）とされ、環状凹部３２Ｂ、３３Ｂ、３５Ｂ、３６Ｂ、３７Ｂの内周面も、円筒状凸部３２Ａ、３３Ａ、３５Ａ、３６Ａ、３７Ａの先端外周面と合致（当接）する傾斜面（以下、テーパー面という）とされている。したがって、上ケース１６と下ケース１８とを組み付ける際、そのテーパー面が互いに誘い込み用のガイド面となるので、上ケース１６と下ケース１８に成形上の誤差があっても、各ビスボス３２、３３、３５、３６、３７はスムーズに組み付けられる（当接嵌合する）。
【００４７】
また、下ケース１８の下面（底面）側からビスを挿入して螺合する際、上ケース１６における各ビスボス３２、３３、３５、３６、３７の円筒状凸部３２Ａ、３３Ａ、３５Ａ、３６Ａ、３７Ａの先端内周面が、ビスの先端誘い込み用のガイド面となるので、ビスもスムーズに上ケース１６の各ビスボス３２、３３、３５、３６、３７に挿入（螺合）される。
【００４８】
このように、いんろう構造を構成する円筒状凸部３２Ａ、３３Ａ、３５Ａ、３６Ａ、３７Ａ及び環状凹部３２Ｂ、３３Ｂ、３５Ｂ、３６Ｂ、３７Ｂにテーパー面を設けると、各ビスボス３２、３３、３５、３６、３７は、その位置ずれなどが規正されながら、容易かつ良好に組み付けられるので、上ケース１６と下ケース１８との接合精度を向上させることができる。したがって、ケース１２に歪み等は発生せず、ドア５０をスムーズに摺動させることができる。
【００４９】
なお、円筒状凸部３２Ａ、３３Ａ、３５Ａ、３６Ａ、３７Ａを下ケース１８の各ビスボス３２、３３、３５、３６、３７に形成し、環状凹部３２Ｂ、３３Ｂ、３５Ｂ、３６Ｂ、３７Ｂを上ケース１６の各ビスボス３２、３３、３５、３６、３７に形成したいんろう構造としてもよく、図示のものに限定されるものではない。また、上記テーパー面の鉛直方向に対する傾斜角度α、β（図６（Ａ）参照）は３０°〜６０°が好ましく、４５°前後が最適である。
【００５０】
次に、本実施の形態の作用について説明する。上記構成のケース１２を備えた記録テープカートリッジ１０では、不使用時（保管時や運搬時等）には、開口２０がドア５０によって閉塞されている。具体的には、ドア５０は、コイルばね５６の付勢力によって、常時開口２０閉塞方向へ付勢されており、その先端部（前端部）がガイド壁部４１及び傾斜壁部３０の内側に入り込む状態で開口２０を閉塞している。
【００５１】
一方、磁気テープＴを使用する際には、記録テープカートリッジ１０を矢印Ａ方向に沿ってドライブ装置へ装填する。この装填に伴って、ドライブ装置の開閉手段を構成する開閉部材（図示省略）が、前方へ開放しているスリット４０に進入し、ドア５０の操作突起５２に係合する。この状態で、記録テープカートリッジ１０（ケース１２）を更に押し込むと、この押し込み力によってコイルばね５６の付勢力に抗しつつ、開閉部材が操作突起５２を後方へ移動させる（矢印Ａ方向へ装填されるケース１２に対して後方へ相対移動させる）。
【００５２】
すると、その操作突起５２が突設されているドア５０は、凸部５１がガイド壁部４２によって案内され、ばね保持部５４がリブ５７によって案内されつつ、その湾曲方向に沿って平面視時計方向に回動する。すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、ケース１２（記録テープカートリッジ１０）がドライブ装置に所定深さ装填されると、開口２０が完全に開放される。
【００５３】
こうして開口２０が開放された状態で記録テープカートリッジ１０がドライブ装置内で位置決めされると、ドア５０はそれ以上の回動（略後方への移動）が規制され、開放された開口２０からはドライブ装置の引出手段がケース１２内に進入し、この引出手段がピン保持部２４に位置決め保持されたリーダーピン２２を抜き出す。そして、図示しない巻取リールにリーダーピン２２を収容し、その巻取リールとリール１４とを同期して回転駆動する。すると、磁気テープＴは、巻取リールに巻き取られつつ順次ケース１２から引き出され、所定のテープ経路に沿って配設された記録再生ヘッド等によって情報の記録や再生が行われる。
【００５４】
一方、記録テープカートリッジ１０をドライブ装置から排出する際には、磁気テープＴがリール１４に巻き戻され、リーダーピン２２がピン保持部２４に保持される。そして、記録テープカートリッジ１０は、位置決め状態が解除され、コイルばね５６の付勢力又は図示しないイジェクト機構によって矢印Ａ方向とは反対方向に移動される。これにより、ドア５０は、その凸部５１がガイド壁部４２に案内されつつ、コイルばね５６の付勢力によって開口２０の閉塞方向へ回動し、ドア５０の先端部（前端部）がガイド壁部４１内（傾斜壁部３０の内側）に入り込むことにより、開口２０が完全に閉塞され、初期状態に復帰する。
【００５５】
ここで、上ケース１６及び下ケース１８に設けられた各ビスボス３２、３３、３５、３６、３７は互いに凹凸嵌合するいんろう構造に形成され、かつ、その各ビスボス３２、３３、３５、３６、３７の一方（上ケース１６）に設けられた円筒状凸部３２Ａ、３３Ａ、３５Ａ、３６Ａ、３７Ａの外周面と、他方（下ケース１８）に設けられた環状凹部３２Ｂ、３３Ｂ、３５Ｂ、３６Ｂ、３７Ｂの内周面とが互いに誘い込み用となるテーパー面とされているので、ケース１２は、各ビスボス３２、３３、３５、３６、３７の成形上の位置ずれが規正されながら、容易かつ良好に組み付けられる（当接嵌合される）。
【００５６】
そして更に、円筒状凸部３２Ａ、３３Ａ、３５Ａ、３６Ａ、３７Ａの内周面がテーパー面とされているので、ビスもスムーズに挿入（螺合）される。したがって、上ケース１６と下ケース１８とを精度良く接合することができる。よって、ケース１２に歪み等が発生することはなく、ドア５０を備えたケース１２であっても、そのドア５０の摺動性が損なわれるような不具合は起きない。
【００５７】
【発明の効果】
以上、何れにしても本発明によれば、上ケースと下ケースに成形上の誤差があっても、ビスボス同士の組み付けを容易かつ良好に行うことができるので、それらの接合精度を向上させることができる。
【図面の簡単な説明】
【図１】記録テープカートリッジの概略斜視図
【図２】記録テープカートリッジの概略分解斜視図
【図３】下ケースの概略斜視図
【図４】上ケースの概略斜視図
【図５】上ケースのビスボスと下ケースのビスボスのいんろう構造を示す拡大斜視図
【図６】上ケースのビスボスと下ケースのビスボスのいんろう構造を示す側断面図
【符号の説明】
１０  記録テープカートリッジ
１２  ケース
１６  上ケース
１８  下ケース
３２、３３、３５、３６、３７  ビスボス
３２Ａ、３３Ａ、３５Ａ、３６Ａ、３７Ａ  凸部
３２Ｂ、３３Ｂ、３５Ｂ、３６Ｂ、３７Ｂ  凹部
【図１】
2004206744.tif 000003
【図２】
2004206744.tif 000004
【図３】
2004206744.tif 000005
【図４】
2004206744.tif 000006
【図５】
2004206744.tif 000007
【図６】
2004206744.tif 000008